(57)【特許請求の範囲】
【請求項１】
複数のＡＤＭトランスポンダを実装した複数の光分岐挿入多重装置と、これらの光分岐挿入多重装置を管理するオペレーティング装置とからなる光伝送システムにおいて、
前記オペレーティング装置は、
前記複数のＡＤＭトランスポンダのコンフィギュレーション情報に基づいて、λパスを設定する手段と、
指定された２台の前記光分岐挿入多重装置の指定された２台のＡＤＭトランスポンダの入出力ポートを接続するポートパスについて、前記λパス中の空きタイムスロットまたは空きリソースを検索する手段と、
少なくとも前記指定された２台のＡＤＭトランスポンダの入出力ポートに対し、ＡｄｄまたはＤｒｏｐを設定する手段と、を含んで構成されていることを特徴とする光伝送システム。
【請求項２】
請求項１に記載の光伝送システムであって、
前記オペレーティング装置は、λパスの障害時に、当該λパスを通るポートパスを検索し、当該ポートパスの表示を行う手段をさらに備えたことを特徴とする光伝送システム。
【請求項３】
請求項１に記載の光伝送システムであって、
前記ポートパスを通る信号が
両端で終端され、
一端で終端され、他端で通過され、
前記両端で通過され、
のいずれかであることを特徴とする光伝送システム。
【請求項４】
複数のＡＤＭトランスポンダを実装した複数の光分岐挿入多重装置を管理する手段と、
前記複数のＡＤＭトランスポンダのコンフィグレーション情報に基づいて、前記光分岐挿入多重装置に対してλパスを設定する手段と、
指定された２台の光分岐挿入多重装置の指定された２台のＡＤＭトランスポンダの入出力ポートを接続するポートパスについて、前記λパス中の空きタイムスロットまたは空きリソースを検索する手段と、
少なくとも前記指定された２台のＡＤＭトランスポンダの入出力ポートに対し、ＡｄｄまたはＤｒｏｐを設定する手段と、を含んで構成されていることを特徴とするオペレーティング装置。
【発明の詳細な説明】
【技術分野】
【０００１】
本発明は、光伝送システムおよび光分岐挿入多重装置に係り、特に光信号と電気信号とを統一的に管理する光伝送システムおよび光分岐挿入多重装置に関する。
【背景技術】
【０００２】
特許文献１および特許文献２は、光伝送ネットワークにおいて、伝送装置から上位装置に挙げる警報について、誤警報、無駄な警報等を抑止する技術を開示している。
【０００３】
また、特許文献３は、伝送路の異常を検知した装置がこの障害の発生した伝送路に収容される全てのパスについて、パスの番号とパスの障害内容を示す警報を書き込んだ警報情報ブロックを作成し、隣接する装置に向けて送信することを開示している。
【０００４】
さらに、非特許文献１は、ＯＡＤＭシステムとＡＤＭシステムとを、それぞれ異なるエリアで運用することを開示している。すなわち、ＯＡＤＭシステムのパス管理では、λパスのみを管理対象とし、ＡＤＭシステムのパス管理では、ＩＦ盤間の電気パス（ＳＤＨ）のみを管理対象とし、λパスと電気パスの両方を関連付けて管理することは記載されていない。
【０００５】
【特許文献１】特開２００２−２６２３１６号公報
【特許文献２】特許第３５７８７４５号公報
【特許文献３】特許第２５９３５５３号公報
【非特許文献１】森川、外２名、「国内向け光伝送システムにおけるＯＰＳの現状と次世代ネットワークの展開」、ＦＵＪＩＴＳＵ  ｖｏｌ５７  ２００６年７月  ＰＰ.４０９−４１４
【発明の開示】
【発明が解決しようとする課題】
【０００６】
ＯＡＤＭノードにＡＤＭトランスポンダが実装された光伝送システムのオペレーションでは、λパスとポートパスの管理が必要となる。ここで、λパスとは、トランスポンダ間で終端しているが、光伝送システムを周回するパスである。また、ポートパスとはポートで終端されたパスである。
【０００７】
ＡＤＭトランスポンダでは、クライアントのポート単位で、トランスポンダ内でのＡｄｄ／Ｄｒｏｐ／Ｔｈｒｏｕｇｈを設定し、任意ノードの任意ポート同士を接続して、主信号の導通が可能である。λパスとＡＤＭトランスポンダの入出力ポートの対応が固定的でないため、どのλパス障害により、どの入出力ポートの障害となるのかを速やかに特定できない。このため、ＷＤＭセクションに障害が発生した場合、λパスに警報が発生するが、λパス警報により、どの入出力ポートに影響があるのか不明である。
【０００８】
理論上、ポートパス数は、ノード数×波長多重数×ＡＤＭトランスポンダの提供ポート数となる。例えば、１２ノード構成、８０波長、４ポートをサポートするシステムの場合、ポートパス数は、３８４０本と膨大になる。管理するパスの本数、および、パス開通時の選択肢（使用波長、使用ポート）の増加により、ユーザによるパス管理、障害管理も複雑化する。
【０００９】
仮に、ＯＡＤＭノードからＯｐＳに対し、ポートパスの障害を検知可能とし、警報を通知したとしても、ポートパス数が多いため、多量に警報が発生してしまう。警報を送信する監視チャネルは帯域が細いため、警報転送での遅延が発生する。かつ監視チャネルが占有されることで、監視チャネルにおける他の制御パケットの転送にも影響する。
【課題を解決するための手段】
【００１０】
上述した課題は、複数のＡＤＭトランスポンダを実装した複数の光分岐挿入多重装置と、これらの光分岐挿入多重装置を管理するオペレーティング装置とからなり、 前記オペレーティング装置は、複数のＡＤＭトランスポンダのコンフィギュレーション情報に基づいて、λパスを設定する手段と、指定された２台の前記光分岐挿入多重装置の指定された２台のＡＤＭトランスポンダの入出力ポートを接続するポートパスについて、前記λパス中の空きタイムスロットを検索する手段と、少なくとも前記指定された２台のＡＤＭトランスポンダの入出力ポートに対し、ＡｄｄまたはＤｒｏｐを設定する手段とから構成された光伝送システムにより、達成できる。
【００１１】
また、ＴＤＭ信号のタイムスロットを交換するクロスコネクトを備えた第１および第２のＡＤＭトランスポンダと、光信号の分岐または挿入もしくは通過を制御する光スイッチとからなり、通過させる光信号は、第１のＡＤＭトランスポンダと第２のＡＤＭトランスポンダとの間について光スイッチを介さず送受信される光分岐挿入多重装置により、達成できる。
【発明の効果】
【００１２】
λパスの障害に対応して、ＯｐＳにおいて、障害となるポートパスを把握することが可能となる。また、λパスを一本の仮想リングとして扱うことで、ユーザにとって、分かりやすく、シンプルなパス管理を提供できる。
【発明を実施するための最良の形態】
【００１３】
以下、本発明の実施の形態について、実施例を用い図面を参照しながら説明する。なお、実質同一部位には同じ参照番号を振り、説明は繰り返さない。
【００１４】
まず、図１を参照して、光伝送システムの全体構成を説明する。ここで、図１は光伝送システムのブロック図である。図１において、光伝送システム５００は、光波長多重（ＤＤＷＭ：Dense Wavelength Division Multiplexing）のリング網を構成し、４台のＯＡＤＭ（Optical Add/Drop Multiplexer）ノード１００間は局間光ファイバ１０３により接続されている。
【００１５】
ＯＡＤＭノード１００は、ＯＡＤＭ部１０１と２台のＡＤＭトランスポンダ１０２が実装され、破線で示すλ（lambda）パス２００、および実線で示すポートパス２０１が開通されている。なお、ＡＤＭトランスポンダ１０２のポートに入出力されるクライアント信号には、ＧｂＥ信号、ＳＴＭ−６４／ＯＣ−１９２、ＳＴＭ−１６／ＯＣ−４８等が収容されるが、ここでは、ＧｂＥとして説明する。
【００１６】
光伝送システム５００は、主回線とは別に監視制御専用のＯＳＣ（Optical Supervisory Channel）機能を有しており、ＯｐＳ（Operating System）１とＯＡＤＭノード１００は、ＤＣＮ（Data Communication Network）２に接続されたＯＡＤＭノード１００−Ａ、１００−Ｂをゲートウェイとして、論理的にネットワーク接続される。このＯＳＣを用いてＯｐＳ１は、ＴＬ１コマンド等を使い、遠隔にてＯＡＤＭノード１００の監視制御を行う。
【００１７】
図２を参照して、ＯＡＤＭノードの詳細な構成を説明する。ここで、図２はＯＡＤＭノードのブロック図である。図２において、ＯＡＤＭノード１００は、光増幅部１０８、光分岐挿入機能部１０６、ＩＦ部１０５、装置内監視制御部１０４から構成される。光増幅部１０８は、波長多重信号光を局間伝送可能な信号光強度に一括増幅する光アンプ１０９を有する。光分岐挿入機能部１０６は、光増幅部１０８より受信した波長多重信号光を分離し、任意の波長について分岐、挿入もしくは通過後、再度、波長多重を行い、光増幅部１０８に送信する光スイッチ１０７を有する。
【００１８】
ＩＦ部１０５は、１波長毎にＷｅｓｔとＥａｓｔでペア構成のＡＤＭトランスポンダ１０２を有する。ＡＤＭトランスポンダ１０２は、ポートより受信したＧｂＥ信号を波長多重するために適正な信号フォーマット、信号光強度、信号光波長に変換し、光分岐挿入機能部１０６へ送信する。ＩＦ部１０５は、また、光分岐挿入機能部１０６で分離した任意の波長を、外部端局装置と接続するために適正な信号フォーマット、信号光強度、信号光波長に変換し、ポートへ送信する。
【００１９】
装置内監視制御部１０４は、光増幅部１０８、光分岐挿入機能部１０６、ＩＦ部１０５で検出した警報、イベント通知を収集し、その結果をＯｐＳ１へ通知する。また、ＯｐＳ１からの制御により装置設定を行う。
【００２０】
図３を参照して、ＡＤＭトランスポンダの詳細な構成を説明する。ここで、図３はペアのＡＤＭトランスポンダのブロック図である。図３において、クライアント信号としてＷｅｓｔとＥａｓｔ方向で、それぞれＧｂＥ信号をＮチャネル（本実施例では４ｃｈとする）受信し、また、スルーパス用にお互いを接続するポートを有する。ＡＤＭトランスポンダ１０２は、４台のクライアント信号処理部１１０、クロスコネクト１１１、ＯＴＮ生成１１２、ＯＴＮ終端１１３、フレーム生成１１４、フレーム終端１１５、Ｌｉｎｅ光モジュール１１６、他系光モジュール１１７から構成される。
【００２１】
クライアント信号処理部１１０は、ポートより受信した信号を光／電気変換し、等化増幅、および外部端局装置に送信するための信号光波長、信号光強度に変換し、クロスコネクト１１１へ送出する。クライアント信号処理部１１０は、また、クロスコネクト１１１から受信した信号を電気／光変換し、ポートへ送出する。クロスコネクト１１１は、ポートからのＧｂＥ信号と、ラインＷｅｓｔ／ＥａｓｔからのＧｂＥ信号のチャネル入替え（タイムスロット変換）を行う。
【００２２】
ＯＴＮ生成１１２は、クライアント信号処理部１１０からの信号にＯＴＮフレームへのマッピングを行い、Ｌｉｎｅ光モジュール１１６へ送信する。ＯＴＮ終端１１３は、ＯＴＮフレームのデマッピングを行いクライアント信号処理部１１０へ送信する。
【００２３】
Ｌｉｎｅ光モジュール１１６は、ＯＴＮフレーム信号を、波長多重するための信号光波長、信号光強度に変換しＯＡＤＭ部１０１へ送信する。また、ＯＡＤＭ部１０１より分岐された信号を光／電気変換を行う。
【００２４】
フレーム生成１１４は、スルーパス用信号のフレームを生成する。フレーム終端１１５は、スルーパス用信号のフレーム終端を行う。他系光モジュール１１７は、スルーパス用信号の光／電気変換、電気／光変換を行う。
【００２５】
図３において、ＡＤＭトランスポンダ１０２（Ｗｅｓｔ）の矢印２０２は、Ａｄｄパスである。また、矢印２０３は、Ｄｒｏｐパスである。さらに、ＡＤＭトランスポンダ１０２（Ｗｅｓｔ）からＡＤＭトランスポンダ１０２（Ｅａｓｔ）へ抜ける矢印２０４はＴｈｒｏｕｇｈパスである。
【００２６】
図４を参照して、ＡＤＭトランスポンダに収容される各ポートと、ライン側（高速）信号のタイムスロットとの関係を説明する。ここで、図４は、ＡＤＭトランスポンダに収容される各ポートと、ライン側（高速）信号のタイムスロットとの関係を説明するブロック図である。図４において、ペアのＡＤＭトランスポンダ１０２には、それぞれ局間光ファイバ１０３が接続され、ＡＤＭトランスポンダ１０２間は、ＡＤＭトランスポンダ間接続光ファイバが接続されている。光信号は、左から右に伝達されている。局間光ファイバ１０３の端面のＴＳ＃１〜ＴＳ＃８は、タイムスロット番号である。したがって、ＴＳ＃１の信号は、ＡＤＭトランスポンダ１０２でタイムスロットの変更を受けずにＴｈｒｏｕｇｈしてＴＳ＃１で送出されている。一方、ＴＳ＃２の信号は、いずれかのＡＤＭトランスポンダ１０２でタイムスロットの変更（ＴＳ＃２→ＴＳ＃３）を受けてＴｈｒｏｕｇｈしてＴＳ＃３で送出されている。
【００２７】
また、ＴＳ＃５およびＴＳ＃６の信号は、それぞれポート２およびポート１へＤｒｏｐされている。一方、ポート４からの信号は、ＴＳ＃４へＡＤＤされている。
ＯｐＳ１は、各ＯＡＤＭノード１００に対し、Ａｄｄ／Ｄｒｏｐ／Ｔｈｒｏｕｇｈ設定を制御することで、ポートパス２０１の設定を行う。
【００２８】
図５を参照して、λパス管理テーブルを説明する。ここで、図５は、λパス管理テーブルを説明する図である。図５において、λパス管理テーブル６０は、仮想リングＩＤ６１、トポロジ６２、トポロジタイプ６３とから構成される。仮想リングＩＤ６１にはλパスのＩＤを記録する。トポロジ６２には始点ノードから順に接続されたノード名をとトランスポンダの番号方向ごとの使用波長を記録する。なお、トポロジタイプ６３がリングのとき、時計回りにノードを記録する。なお、ここでは、ＯＡＤＭノード１００−Ａを、単にノードＡと記載している（以下、同様）。また、トポロジタイプ６３にはトポロジタイプ（リング／非リング）を記録する。
【００２９】
次に、ＯｐＳ１からおこなわれるλパス２００とポートパス２０１開通の処理について説明する。ＯｐＳ１は、ＰＣ／ＷＳ等の一般的な情報処理装置であり、パス管理用のソフトウエアがインストールされ、ユーザより起動される。
【００３０】
初めに、ＯｐＳ１にてパス管理を実現するまでの初期手順について説明する。各ＯＡＤＭノード１００にて、局間光ファイバ１０３の接続、ＡＤＭトランスポンダ１０２のパッケージ実装、装置内ファイバ接続等、ハード接続がおこなわれた後、ユーザはＯｐＳ１に対して、リングを構成するＯＡＤＭノード１００の接続順を時計回り方向に登録する。また、その際に各ＯＡＤＭノード１００で実装したＡＤＭトランスポンダ１０２に対してＡｄｄ／Ｄｒｏｐ可能な波長を登録する。
【００３１】
図６を参照して、ユーザが登録するコンフィギュレーション情報を説明する。ここで、図６は、コンフィグレーション情報を説明する図である。図６において、コンフィグレーション情報画面７０は、ＣＵＩ（Character User Interface）であり、「＃  ノードトポロジ（中略）ｔｏｐｏｌｏｇｙ＝」までを、表示して、「ｎｏｄｅＡ，（中略），ｎｏｄｅＤ」の入力をまず受け付ける。次に、「＃  ノード名＝トラポン番号：（中略）ｎｏｄｅＡ＝」と表示して、「１：（East）λ１（West）λ２，」等の入力受け付ける。なお、ここで「：（コロン）」の前の「１」は、トランスポンダ（トラポン）番号である。これらの情報をもとに、ＯｐＳ１は、波長毎に開通可能なλパス２００のトポロジを把握する。
【００３２】
初期設定完了後、λパス２００の開通をおこなう。ＯｐＳ１では、該当の波長を持つＡＤＭトランスポンダ１０２同士で、Ａｄｄ／Ｄｒｏｐできるように、一本の仮想リングとしてλパス２００を開通する。
【００３３】
具体的には、以下の処理にてλパス２００を開通する。
（１）ユーザに、開通するλパス２００の波長と、仮想リングを識別するためのＩＤを指定させる。（リング内の特定の区間でλパス２００を開通する場合は、リング内の時計回り、反時計回りを指定する。）
（２）ＯｐＳ１は、（１）で指定された波長に設定されたＡＤＭトランスポンダ１０２の搭載ノードをコンフィギュレーション情報より検索する。
（３）ＯｐＳ１は、ＡＤＭトランスポンダ１０２搭載有無で以下の処理を行う：
−（２）が搭載されたノード：（１）で指定された波長に対応する光スイッチ１０７に対してＡｄｄ／Ｄｒｏｐ設定を行う。
−（２）が搭載されていないノード：（１）で指定された波長に対応する光スイッチに対してＴｈｒｏｕｇｈ設定を行う。
（４）ＯｐＳ１は、開通したλパス２００の情報として、仮想リングＩＤ、Ａｄｄ／Ｄｒｏｐ可能なＡＤＭノードのトポロジとノード区間の使用波長、トポロジタイプをλパス管理テーブル（図５のフィールド６１〜６３）に登録する。
ユーザはこのλパス開通処理（１）〜（４）を多重可能な波長数回、繰り返しおこなう。
【００３４】
上述した手順で、リング内でＡＤＭトランスポンダ１０２を搭載した複数のＯＡＤＭノード１００に対してＡｄｄ／Ｄｒｏｐを設定する。また、リング上の特定の区間内でＡＤＭトランスポンダ１０２を搭載した複数のＯＡＤＭノード１００に対してもＡｄｄ／Ｄｒｏｐの設定ができる。
【００３５】
図７を参照して、ＯｐＳが実施するλパス開通処理を説明する。ここで、図７はλパス開通処理のフローチャートである。図７において、ＯｐＳ１は、まず開通するλパスの波長と仮想リングＩＤを取得する（Ｓ１８１）。コンフィギュレーション情報を参照して、ＯｐＳ１は、トポロジ上の各ノードについて、指定波長のＡＤＭトランスポンダの搭載有無を確認する（Ｓ１８２）。ＯｐＳ１は、ＡＤＭトランスポンダ搭載ノードか判定する（Ｓ１８３）。搭載ノードのとき（Ｙｅｓ）、ＯｐＳ１は、該当ノードの光スイッチに対してＡｄｄ／Ｄｒｏｐｐを設定し、ステップ１８６に遷移する。ステップ１８３で非搭載ノードのとき（Ｎｏ）、ＯｐＳ１は、該当ノードの光スイッチに対してＴｈｒｏｕｇｈを設定し、ステップ１８６に遷移する。
【００３６】
ステップ１８６で、ＯｐＳ１は、トポロジ上の全てのノードについて、設定済みか判定する。Ｎｏならば、ＯｐＳ１は、ステップ１８２に遷移する。ステップ１８６でＹｅｓならば、λパス管理テーブルに仮想リングＩＤ、Ａｄｄ／Ｄｒｏｐ可能なノード名、ノード区間の使用波長およびトポロジタイプを登録する。ＯｐＳ１は、他のλパスの開通処理を実施するか確認し（Ｓ１８８）、Ｙｅｓならステップ１８１に戻り、Ｎｏなら終了する。
【００３７】
図８を参照して、λパス開通前後のスイッチの設定を説明する。ここで、図８はλパス開通前後のスイッチの設定を説明する図である。また、図８は、λ１の波長のパスユーザよりλ２の波長が指定され、λパス２００を開通したときの各ＯＡＤＭ部１０１の光スイッチ１０７の状態変化である。図８において、波長λ２のλパス２００は、ＯＡＤＭノードＣにてＴｈｒｏｕｇｈ設定が行われ、ＯＡＤＭノードＡ、Ｂ、ＤにてＡｄｄ／Ｄｒｏｐ可能なλパスである。
【００３８】
そして、ＯｐＳ１では、開通した仮想リングに対して、図９に示すポート開通ダイアログと図１０に示す仮想リング画面を表示することで、ユーザに対しλパス２００、ポートパス２０１の管理、監視を実現させる。
【００３９】
図９を参照して、ポートパス開通ダイアログを説明する。ここで、図９は、ポートパス開通ダイアログ画面である。図９において、ポートパス開通ダイアログ画面８０は、仮想リングＩＤ入力部９１、始点ノード名入力部９２、終点ノード名入力部９３、ポートパス名入力部９４、経路（Ｗｅｓｔ（反時計）／Ｅａｓｔ（時計））入力部９５、始点ノードポート番号入力部９６、終点ノードポート番号入力部９７、開通ボタン９８、キャンセルボタン９９とから、構成される。ユーザは、仮想リングＩＤ入力部９１にＶＲ１、始点ノード名入力部９２にｎｏｄｅＡ、始点ノードポート番号入力部９６にＷｅｓｔ１、終点ノード名入力部９３にｎｏｄｅＤ、終点ノードポート番号入力部９７にＥａｓｔ１、ポートパス名入力部９４にＡ−Ｄ−１、経路入力部９５にＷｅｓｔ回りと入力し、開通ボタン９８を押すことで、ポートパスを開通させる。
【００４０】
ＯｐＳ１は、指定された情報に基づき、各ＯＡＤＭノード１００間の空きタイムスロットを検索し、Ａｄｄ、Ｄｒｏｐ、Ｔｈｒｏｕｇｈ設定をおこない、ポートパス２０１を開通する。ＯｐＳ１は、ポートパス開通に伴い、後述するポート管理テーブル５０、タイムスロット管理テーブル８０、ポートパス管理テーブル４０、警報検出点テーブル３０を更新し、リソースの管理をおこなう。
【００４１】
図１０を参照して、仮想リング画面を説明する。ここで、図１０は、仮想リング画面である。図１０において、仮想リング画面８０は、λパス２００とポートバス２０１の開通状態を表示するフィールド８１と、開通したポートパス２０１の詳細情報を表示するフィールド８２で構成する。
【００４２】
フィールド８１には、接続されたＯＡＤＭノード１００をアイコン８３で表示し、各アイコンにはノード名、Ｗｅｓｔ／Ｅａｓｔ方向を付与する。また、ポートパスの経路８４と使用ポート番号も付与する。なお、仮想リング画面には、Ａｄｄ／Ｄｒｏｐ可能なＯＡＤＭノード１００のみでトポロジを表示する形態と、Ａｄｄ／Ｄｒｏｐ不可能な（Ｔｈｒｏｕｇｈ設定した）ＯＡＤＭノード１００も含めて表示する形態のどちらでもよい。
【００４３】
次に、ＯｐＳ１におけるポートパス２０１の開通処理について説明する。
【００４４】
以下、図１１ないし図１４を参照して、ＯｐＳ１で管理するテーブルについて説明する。ここで、図１１はポート管理テーブルを説明する図である。図１２はタイムスロット管理テーブルを説明する図である。図１３はポートパス管理テーブルを説明する図である。図１４は警報検出点テーブルを説明する図である。
【００４５】
図１１において、ポート管理テーブル５０は、ＯＡＤＭノード名５１、ＡＤＭトランスポンダ（Ｗｅｓｔ）５２、ＡＤＭトランスポンダ（Ｅａｓｔ）５３で構成されている。ポート管理テーブル５０は、仮想リング毎に各ＯＡＤＭノード１００のＡＤＭトランスポンダ１０２のポート空き状態を管理するテーブルである。ＡＤＭトランスポンダ（Ｗｅｓｔ）５２、ＡＤＭトランスポンダ（Ｅａｓｔ）５３において、使用中のポートには、使用しているポートパス名をセットする。
【００４６】
図１２において、タイムスロット管理テーブル８０は、タイムスロット８１、区間８２で構成される。タイムスロット管理テーブル８０は、仮想リング毎にノード区間のタイムスロットの空き状態を管理するテーブルである。区間８２において、使用中のタイムスロットには、使用しているポートのパス名をセットする。なお、仮想リングのノード区間については、λパス管理テーブル６０に登録されたトポロジ情報から参照できる。
【００４７】
図１３において、ポートパス管理テーブル４０は、ポートパス名４１、仮想リングＩＤ４２、始点４３、終点４４、経路４５、経由ノード４６で構成される。始点４３および終点４４は、それぞれノードとポート番号を記載する。ポートパス管理テーブル４０は、開通したポートパス２０１の情報を管理する。
【００４８】
図１４において、警報検出点テーブル３０は、キー３１、対応するポートパス３２から構成される。キー３１は、さらにノード、発生箇所、詳細発生箇所から構成される、警報検出点テーブル３０は、各ＯＡＤＭノード１００からの警報発生時、影響するポートパス２０１を参照するためのテーブルである。警報検出点テーブル３０は、図５を用いて説明した仮想リング管理テーブル６０のトランスポンダ情報から生成する。なお、警報検出点テーブル３０の詳細については、後述する。
【００４９】
ＯｐＳ１は、ポートパス開通要求時、指定された仮想リングＩＤからタイムスロット管理テーブル８０を参照し、各ノード区間の空きタイムスロットを検索する。ここでは、タイムスロット番号の昇順に空き状態を検索し、使用タイムスロットを決定する。
【００５０】
そして、ＯｐＳ１は、始点ＯＡＤＭノード１００、終点ＯＡＤＭノード１００では、ＡＤＭトランスポンダ１０２をＡｄｄ／Ｄｒｏｐ設定に、中継ＯＡＤＭノード１００では、Ｔｈｒｏｕｇｈ設定にすることで、ポートパス２０１を開通する。
【００５１】
開通後、ＯｐＳ１は、ポート管理テーブル４０、タイムスロット管理テーブル８０の該当リソースに対してポートパス名をセットし使用中とする。また、ＯｐＳ１は、ポートパス管理テーブルと、警報検出点テーブルに開通したポートパス２０１の情報を登録する。
【００５２】
ＯｐＳ１は、これらのテーブルを参照、更新することで、空きリソースの検索、開通したポートパス２０１の情報、警報発生時のポートパス２０１への影響を把握する。
【００５３】
次に、図１５および図１６を用いて、障害時に発生する警報について説明する。ここで、図１５は障害箇所に参照番号を付与する図である。図１６は警報発生箇所−ポートパス状態対応テーブルを説明する図である。
【００５４】
図１５において、時計回りの片方向λパスについて、障害発生の可能性のある箇所に、吹き出しで参照番号（３０１〜３２８）を付与した。
図１６において、警報発生箇所−ポートパス状態対応テーブル２０は、障害箇所２１、警報発生箇所２２、ポートパス２３とから構成される。図１５の障害箇所（３０１〜３２８）で、ファイバを抜去した時に、それぞれのＯＡＤＭノード１００にて発生する警報の内容を示したものが警報発生箇所−ポートパス状態対応テーブル２０である。また、ポートパス２３は、図１５に示す３本のポートパス２０１が生成された状態で、各障害におけるポートパス２０１への影響（断／導通）を示す。
【００５５】
装置内監視制御部１０４は、装置内の障害を検知し、原因警報をＯｐＳ１へ通知する。また、故障がＯｃｈレイヤの故障を伴う場合は、原因警報だけではなく、波及警報もＯｐＳ１へ通知する。
【００５６】
原因警報としては、以下がある。図１６において、ＡＤＭトランスポンダ１０２のクライアント信号入力断（障害箇所３０５、３１２、３１９、３２６）で、ＰＭＤ−ＬＯＳ−Ｒｅｃｅｉｖｅが発生する。ＡＤＭトランスポンダ１０２と光スイッチ１０７間の信号断（障害箇所３０３、３０６、３１０、３１３、３１７、３２０、３２４、３２７）で、ＥＱＰ−Ａｄｄ−ＴＨＲ−＜波長番号＞Ｌが発生する。光スイッチ１０７から光アンプ１０９に向かう信号断（障害箇所３０７、３１４、３２１、３２８）で、ＥＱＰ−ＴＡ_ＩＮが発生する。光アンプ１０９間の信号断（障害箇所３０１、３０８、３１５、３２２）で、ＯＴＳ−ＬＯＳ−Ｒｅｃｅｉｖｅが発生する。
【００５７】
光アンプ１０９から光スイッチ１０７に向かう信号断（障害箇所３０２、３０９、３１６、３２３）で、ＥＱＰ−ＲＡ_ＲＥＦが発生する。ＡＤＭトランスポンダ１０２間の信号断（障害箇所３０４、３１１、３１８、３２５）で、ＥＱＰ−ＴＨＲ−ＩＮが発生する。
【００５８】
また、光アンプ１０９間の入力信号断（障害箇所３０１、３０８、３１５、３２２）に起因して、ＬＯＳのＢａｃｋｗａｒｄ警報として、上流ノードにて、ＯＴＳ−ＢＤＩ−Ｒｅｃｅｉｖｅが発生する。
【００５９】
さらに、波及警報として、ＯＴＮの終端側のノードにて、ＯＣＨ−ＦＤＩ−Ｐ−Ｒｅｃｅｉｖｅが発生する。また、そのＦＤＩのＢａｃｋｗａｒｄ警報として、上流ノードよりＯＴＵ−ＢＤＩ−Ｒｅｃｅｉｖｅ、ＯＤＵ−ＢＤＩ−Ｒｅｃｅｉｖｅが発生する。
【００６０】
最後に、図１７および図１８を参照して、警報発生から関連するポートパス障害の検知方法について説明する。ここで、図１７はλパス障害を説明するブロック図である。図１８は障害が発生した仮想リング画面である。
【００６１】
図１７において、破線で示すλパス２００が開通され、そのλパス２００を用いて実線で示す３本のポートパス２０１が開通されている。この状態でｎｏｄｅＤからｎｏｄｅＡに向かうＷＤＭ区間で、×で示す障害が発生したとする。
【００６２】
この場合、ｎｏｄｅＡから、ＯＴＳ−ＬＯＳ−Ｒｅｃｅｉｖｅの原因警報と、ＯＣＨ−ＦＤＩ−Ｐ−Ｒｅｃｅｉｖｅの波及警報がＯｐＳ１に通知される。また、ｎｏｄｅＤから、ＬＯＳのＢａｃｋｗａｒｄ警報として、ＯＴＳ−ＢＤＩ−Ｒｅｃｅｉｖｅ警報と、ＦＤＩのＢａｃｋｗａｒｄ警報として、ＯＴＵ−ＢＤＩ−Ｒｅｃｅｉｖｅ、ＯＤＵ−ＢＤＩ−Ｒｅｃｅｉｖｅが発生する。
【００６３】
ＯｐＳ１は、受信した警報をもとに、影響のあるポートパス２０１を検索し、障害の状態を仮想リング画面上に反映させる。具体的には、ＯｐＳ１は、以下の処理にてポートパス２０１の障害を検索する。
【００６４】
ＯｐＳ１は、図１４に示すＡＤＭトランスポンダ１０２の警報検出点テーブル３０を保持している。警報検出点テーブル３０には、各ＯＡＤＭノード１００上の障害箇所、警報内容に応じて、影響するポートパス２０１のリストを登録されている。
【００６５】
なお、故障がＯｃｈレイヤの故障を伴う場合は、原因警報だけではなく波及警報もＯｐＳ１へ通知されることから、光スイッチ１０７や光アンプ１０９の警報はテーブルに保持せずＡＤＭトランスポンダ１０２の警報検出点のみを登録すれば良い。
【００６６】
ＯｐＳ１は、ポートパス２０１を開通する毎に、ポートパス２０１が経由する警報検出点すべてについてポートパス情報を追加登録する。これにより、各警報検出点で警報を検出した場合には、この警報検出点テーブル３０を用いて警報をポートパス２０１に対応付けることができる。
【００６７】
図１７は、図１５の障害箇所３０１で警報が発生したケースを示している。この場合の発生警報は、図１６の障害箇所２０１のフィールドが「３０１」のレコードに対応する
（１）ｎｏｄｅＡの光アンプ１０９（Ｗｅｓｔ）のＯＴＳ−ＬＯＳ−Ｒｅｃｅｉｖｅ、
（２）ｎｏｄｅＤの光アンプ１０９（Ｅａｓｔ）のＯＴＳ−ＢＤＩ−Ｒｅｃｅｉｖｅ、
（３）ｎｏｄｅＡのＡＤＭトランスポンダ１０２（Ｗｅｓｔ）のＯＣＨ−ＦＤＩ−Ｐ−Ｒｅｃｅｉｖｅ、
（４）ｎｏｄｅＤのＡＤＭトランスポンダ１０２（Ｅａｓｔ）のＯＴＵ−ＢＤＩ−ＲｅｃｅｉｖｅおよびＯＤＵ−ＢＤＩ−Ｒｅｃｅｉｖｅ、
の各警報である。
【００６８】
図１４で説明した警報検出点テーブル３０に含まれている警報検出点は、
（１）ｎｏｄｅＡのＡＤＭトランスポンダ１０２（Ｗｅｓｔ）のＯＣＨ−ＦＤＩ−Ｐ−Ｒｅｃｅｉｖｅ、
（２）ｎｏｄｅＤのＡＤＭトランスポンダ１０２（Ｅａｓｔ）のＯＴＵ−ＢＤＩ−Ｒｅｃｅｉｖｅ、ＯＤＵ−ＢＤＩ−Ｒｅｃｅｉｖｅ
である。
【００６９】
図１４Ａを参照すれば、ｎｏｄｅＡのＡＤＭトランスポンダ１０２（Ｗｅｓｔ）のＯＴＮ終端で検出する波及警報ＯＣＨ−ＦＤＩ−Ｐ−Ｒｅｃｅｉｖｅに対応するポートパス名はＡ−Ｄ−１とＢ−Ｄ−２であることが分かる。
【００７０】
また、図１４Ｂを参照すれば、ｎｏｄｅＤのＡＤＭトランスポンダ１０２（Ｅａｓｔ）のＯＴＮ終端で検出するＢａｃｋｗａｒｄ警報ＯＴＵ−ＢＤＩ−Ｒｅｃｅｉｖｅ、ＯＤＵ−ＢＤＩ−Ｒｅｃｅｉｖｅに対応するポートパス名もＡ−Ｄ−１とＢ−Ｄ−２であることが分かる。
【００７１】
このように、ＯｐＳ１は、警報検出点テーブル３０を用いて警報とポートパス２０１の対応付けを行い、図１８に示す通り、λパス断の区間と、断となったポートパスを明示する。ここでは、障害を示すアイコン１７１、１７２（×印）の大きさを変えて付与することで、λパス２００の障害（大きい×）とポートパス２０１の障害（小さい×）を視覚的に区別できるようになる。
【００７２】
なお、パスの線の色や形を変える等して明示する形態でもよい。また、原因警報、波及警報、Ｂａｃｋｗａｒｄ警報の表示を変えるなどして原因がより分かりやすいようにしても良い。
【００７３】
本実施例に拠れば、λパスの障害に対応して、障害となるポートパスを把握することが可能となる。また、λパスを一本の仮想リングとして扱うことで、ユーザにとって、分かりやすく、シンプルなパス管理を提供できる。さらに、ＯｐＳにて、ポートパスの障害を検出し、ユーザに通知することで、ＤＣＮ、ＯＳＣおよびＯＡＤＭノード内監視制御部の負荷を低減できる。
【図面の簡単な説明】
【００７４】
【図１】光伝送システムのブロック図である。
【図２】ＯＡＤＭノードのブロック図である。
【図３】ＡＤＭトランスポンダのブロック図である。
【図４】ＡＤＭトランスポンダに収容される各ポートと、ライン側（高速）信号のタイムスロットとの関係を説明するブロック図である。
【図５】λパス管理テーブルを説明する図である。
【図６】コンフィグレーション情報を説明する図である。
【図７】λパス開通処理のフローチャートである。
【図８】λパス開通前後のスイッチの設定を説明する図である。
【図９】ポートパス開通ダイアログ画面である。
【図１０】仮想リング画面である。
【図１１】ポート管理テーブルを説明する図である。
【図１２】タイムスロット管理テーブルを説明する図である。
【図１３】ポートパス管理テーブルを説明する図である。
【図１４Ａ】警報検出点テーブルを説明する図である（その１）。
【図１４Ｂ】警報検出点テーブルを説明する図である（その２）。
【図１５】障害箇所に参照番号を付与する図である。
【図１６Ａ】警報発生箇所−ポートパス状態対応テーブルを説明する図である（その１）。
【図１６Ｂ】警報発生箇所−ポートパス状態対応テーブルを説明する図である（その２）。
【図１６Ｃ】警報発生箇所−ポートパス状態対応テーブルを説明する図である（その３）。
【図１６Ｄ】警報発生箇所−ポートパス状態対応テーブルを説明する図である（その４）。
【図１７】λパス障害を説明するブロック図である。
【図１８】障害が発生した仮想リング画面である。
【符号の説明】
【００７５】
１…ＯｐＳ、２…ＤＣＮ、２０…警報発生箇所−ポートパス状態対応テーブル、３０…警報検出点テーブル、４０…ポートパス管理テーブル、５０…ポート管理テーブル、６０…λパス管理テーブル、７０…コンフィグレーション情報画面、８０…タイムスロット管理テーブル、１００…ＯＡＤＭノード、１０１…ＯＡＤＭ部、１０２…ＡＤＭトランスポンダ、１０３…局間光ファイバ、１０４…装置内監視制御部、１０５…ＩＦ部、１０６…光分岐挿入機能部、１０７…光スイッチ、１０８…光増幅部、２００…λパス、２０１…ポートパス、５００…光伝送システム。
【図１】
0005065832.tif 000002
【図２】
0005065832.tif 000003
【図３】
0005065832.tif 000004
【図４】
0005065832.tif 000005
【図５】
0005065832.tif 000006
【図６】
0005065832.tif 000007
【図７】
0005065832.tif 000008
【図８】
0005065832.tif 000009
【図９】
0005065832.tif 000010
【図１０】
0005065832.tif 000011
【図１１】
0005065832.tif 000012
【図１２】
0005065832.tif 000013
【図１３】
0005065832.tif 000014
【図１４Ａ】
0005065832.tif 000015
【図１４Ｂ】
0005065832.tif 000016
【図１５】
0005065832.tif 000017
【図１６Ａ】
0005065832.tif 000018
【図１６Ｂ】
0005065832.tif 000019
【図１６Ｃ】
0005065832.tif 000020
【図１６Ｄ】
0005065832.tif 000021
【図１７】
0005065832.tif 000022
【図１８】
0005065832.tif 000023